(57)【特許請求の範囲】
【請求項１】
電池カートリッジと前記電池カートリッジを挟持構造で覆うプレートとを組み立てるのに好適なクランプ装置であって、
支持部；及び
前記支持部の両端からそれぞれ突出する押さえ部を含み、
前記支持部及び前記押さえ部は帯状を成して、外周面の中央領域に沿って屈曲部を定義し、
前記押さえ部は前記屈曲部と交差する係止孔を含むことを特徴とするクランプ装置。
【請求項２】
前記支持部及び前記押さえ部は、一体的に構成され、前記支持部の両端からそれぞれ互いに向かって折曲されることを特徴とする請求項１に記載のクランプ装置。
【請求項３】
前記支持部及び前記押さえ部は金属からなることを特徴とする請求項１に記載のクランプ装置。
【請求項４】
前記屈曲部は、前記支持部及び前記押さえ部の前記外周面で膨らみ、前記外周面に対向する内周面で凹んでいることを特徴とする請求項１に記載のクランプ装置。
【請求項５】
前記屈曲部は、前記支持部及び前記押さえ部の外周面で膨らみ、前記支持部及び前記押さえ部に沿って係止孔同士間の内周面で扁平であり、前記係止孔から前記押さえ部の端部に向かって押さえ部の内周面で凹んでいることを特徴とする請求項１に記載のクランプ装置。
【請求項６】
前記屈曲部は、前記支持部及び前記押さえ部の外周面で膨らみ、前記支持部及び前記押さえ部に沿って係止孔同士間の内周面で凹み、前記係止孔から前記押さえ部の端部に向かって押さえ部の内周面で扁平であることを特徴とする請求項１に記載のクランプ装置。
【請求項７】
前記屈曲部は、前記支持部及び前記押さえ部の外周面で膨らみ、内周面で扁平であることを特徴とする請求項１に記載のクランプ装置。
【請求項８】
前記押さえ部は、前記支持部から前記係止孔に向かって傾斜することを特徴とする請求項１に記載のクランプ装置。
【請求項９】
前記押さえ部は、前記支持部と前記係止孔との間で前記屈曲部と交差する少なくとも１つの折曲部を有することを特徴とする請求項１に記載のクランプ装置。
【請求項１０】
前記押さえ部は、前記支持部から一方向に向かって延びることを特徴とする請求項１に記載のクランプ装置。
【請求項１１】
前記押さえ部の係止孔は同じ中心点を有することを特徴とする請求項１に記載のクランプ装置。
【請求項１２】
前記押さえ部の係止孔は同じ形状を有することを特徴とする請求項１に記載のクランプ装置。
【請求項１３】
一辺が切り抜かれた方形の帯状からなるクランプ装置と、
前記クランプ装置の内部に位置する電池積層体と、
前記クランプ装置の前記内部で前記電池積層体を挟持構造で覆うプレートとを含み、
前記クランプ装置は、支持部、及び前記支持部の両端からそれぞれ突出する押さえ部を含み、前記支持部及び前記押さえ部は、前記電池積層体及び前記プレートと接触し、外周面の中央領域に沿って屈曲部を定義し、前記押さえ部は前記屈曲部と交差する係止孔を含み、
前記プレートは前記係止孔に挿入される係止突起を含むことを特徴とする電池モジュール。
【請求項１４】
前記クランプ装置は、前記電池積層体及び前記プレートの一側方で前記プレートの側壁の中央領域を通ることを特徴とする請求項１３に記載の電池モジュール。
【請求項１５】
前記クランプ装置は、前記押さえ部に前記支持部と前記係止孔との間で前記屈曲部と交差する少なくとも１つの折曲部をさらに含み、前記支持部及び前記押さえ部を通じて前記電池積層体と前記プレートとを弾性的に締め付けるように構成されることを特徴とする請求項１３に記載の電池モジュール。
【請求項１６】
前記押さえ部の係止孔は、前記屈曲部を通じて前記プレートの係止突起にスナップ締結するか、又は、前記係止突起からスナップ分離することを特徴とする請求項１３に記載の電池モジュール。
【請求項１７】
前記係止突起は、前記プレートで相互の反対方向に向かってそれぞれ突出することを特徴とする請求項１３に記載の電池モジュール。
【請求項１８】
前記電池積層体は、前記係止突起と重畳する電池カートリッジ、及び前記電池カートリッジ同士間に電池セルを含むことを特徴とする請求項１３に記載の電池モジュール。
【請求項１９】
前記電池積層体と前記プレートとは、前記クランプ装置の反対側で長ボルトで結束することを特徴とする請求項１３に記載の電池モジュール。
【請求項２０】
前記クランプ装置及び前記プレートは金属からなることを特徴とする請求項１３に記載の電池モジュール。
【発明の詳細な説明】
【技術分野】
【０００１】
本発明は、バッテリーパックにおいて、構成要素のねじ締結部位を最小化して構成要素の組立工程を単純化し、ねじ締結部位の最小化を通じて構成要素の体積を減らして構成要素の配置自由度を増加させるのに好適なクランプ装置、及びそれを含む電池モジュールに関する。
【０００２】
本出願は、２０１５年３月４日出願の韓国特許出願第１０−２０１５−００３０５０５号に基づく優先権を主張し、該当出願の明細書及び図面に開示された内容は、すべて本出願に援用される。
【背景技術】
【０００３】
近年、車両の排気ガスによる大気汚染を減らすため、内燃機関及び／または電気モータを用いて車両の駆動力を確保しようとする研究が続いている。それにより、車両はハイブリッド自動車、プラグインハイブリッド（ｐｌｕｇ−ｉｎ ｈｙｂｒｉｄ）自動車、そして電気自動車の順に進化してきた。ハイブリッド自動車及びプラグインハイブリッド自動車は内燃機関、電気モータと電池パックを備える。電気自動車の場合は、内燃機関なしに、電気モータと電池パックを備える。
【０００４】
さらに、バッテリーパックもハイブリッド自動車、プラグインハイブリッド自動車及び電気自動車とともに進化してきた。バッテリーパックは電気自動車の外部から充電できるように構成される。バッテリーパックは電池モジュールを１つ以上有する。前記電池モジュールは、電池セル、電池セルを収容する電池カートリッジ、及び電池カートリッジを挟持構造で覆うプレートを有する。前記電池カートリッジは、電池モジュール内で方形のフレーム状からなって順に積層される。
【０００５】
前記電池カートリッジは２つを１つの単位にし、２つの間に電池セルを１つ以上収容する。前記プレートは方形の板状からなる。ここで、前記プレートと電池カートリッジとは、４つの角部で長ボルトを通じてねじ締結されて相互結束される。また、前記長ボルトはプレートと電池カートリッジとを結束させ、プレートと電池カートリッジ、及び電池カートリッジ同士を相互整列させる。
【０００６】
しかし、前記プレート及び／または電池カートリッジの整列のために長ボルトを用いるときは、前記電池モジュールではプレートの角部及び電池カートリッジの角部に長ボルトの締結部位を設けなければならない。前記長ボルトの締結部位はプレート及び電池カートリッジの全体体積を増加させ、前記長ボルトの使用はプレート及び電池カートリッジの組立工程で締結部位の個数ほど単純作業を増加させて作業時間を長くする。
【０００７】
一方、前記長ボルトの外に、前記電池カートリッジを整列させる一例が韓国特許公開第１０−２０１４−００４１３３７号公報（２０１４年４月４日公開）の「電池モジュール用セルカートリッジ及びそれを用いた電池モジュール」に開示されている。前記電池モジュールは、セルカートリッジにセルをそれぞれ有する。前記セルカートリッジは方形の辺に沿ってフレームを有する。前記フレームはフックとスロットを有する。
【０００８】
それにより、前記セルカートリッジは電池モジュール内に順に配列され、フックとスロットを通じてスナップ結合される。前記スナップ結合は電池モジュール内でセルカートリッジを整列させる。しかし、セルカートリッジの整列のためにセルカートリッジのスナップ結合が用いられるとき、前記セルカートリッジのフック及びスロットはセルカートリッジとセルカートリッジを挟持構造で覆うプレートとを適切に整列させることができない。
【発明の概要】
【発明が解決しようとする課題】
【０００９】
本発明は、上記問題点に鑑みてなされたものであり、電池カートリッジと電池カートリッジを挟持構造で覆うプレートとにおけるねじ締結部位の個数を最小化して電池カートリッジとプレートの全体体積を減らし、電池カートリッジとプレートとを適切に整列させて、電池カートリッジとプレートとの組立工程を単純化させるのに好適なクランプ装置、及びそれを含む電池モジュールを提供することを目的とする。
【課題を解決するための手段】
【００１０】
上記の課題を達成するため、本発明によるクランプ装置は、支持部、及び前記支持部の両端からそれぞれ突出する押さえ部を含み、前記支持部及び前記押さえ部は帯状を成して、外周面の中央領域に沿って屈曲部を定義し、押さえ部は前記屈曲部と交差する係止孔を含むことを特徴とする。
【００１１】
望ましくは、前記支持部及び前記押さえ部は一体的に構成され、前記支持部の両端からそれぞれ互いに向かって折り曲げられる。
【００１２】
一態様において、前記支持部及び前記押さえ部は金属からなり得る。
【００１３】
本発明において、前記屈曲部は、前記支持部及び前記押さえ部の前記外周面で膨らみ、前記外周面に対向する内周面で凹んでいる。
【００１４】
一態様において、前記屈曲部は、前記支持部及び前記押さえ部の外周面で膨らみ、前記支持部及び前記押さえ部に沿って係止孔同士間の内周面で扁平であり、前記係止孔から前記押さえ部の端部に向かって押さえ部の内周面で凹んでいる。
【００１５】
他の態様において、前記屈曲部は、前記支持部及び前記押さえ部の外周面で膨らみ、前記支持部及び前記押さえ部に沿って係止孔同士間の内周面で凹み、前記係止孔から前記押さえ部の端部に向かって押さえ部の内周面で扁平である。
【００１６】
さらに他の態様において、前記屈曲部は前記支持部及び前記押さえ部の外周面で膨らみ、内周面で扁平である。
【００１７】
本発明において、前記押さえ部は前記支持部から前記係止孔に向かって傾斜し得る。
【００１８】
ここで、前記押さえ部は、前記支持部と前記係止孔との間で前記屈曲部と交差する少なくとも１つの折曲部を有し得る。
【００１９】
本発明において、前記押さえ部は、前記支持部から一方向に向かって延び得る。
【００２０】
一態様において、前記押さえ部の係止孔は同じ中心点を有し得る。
【００２１】
他の態様において、前記押さえ部の係止孔は同じ形状を有し得る。
【００２２】
上記の課題を達成するため、本発明による電池モジュールは、一辺が切り抜かれた方形の帯状からなるクランプ装置と、前記クランプ装置の内部に位置する電池積層体と、前記クランプ装置の前記内部で前記電池積層体を挟持構造で覆うプレートとを含み、前記クランプ装置は、支持部、及び前記支持部の両端からそれぞれ突出する押さえ部を含み、前記支持部及び前記押さえ部は、前記電池積層体及び前記プレートと接触し、外周面の中央領域に沿って屈曲部を定義し、押さえ部は前記屈曲部と交差する係止孔を含み、プレートは前記係止孔に挿入される係止突起を含むことを特徴とする。
【００２３】
望ましくは、前記クランプ装置は、前記電池積層体及び前記プレートの一側方で前記プレートの側壁の中央領域を通ることができる。
【００２４】
一態様において、前記クランプ装置は、前記押さえ部に前記支持部と前記係止孔との間で前記屈曲部と交差する少なくとも１つの折曲部をさらに含み、前記支持部及び前記押さえ部を通じて前記電池積層体と前記プレートとを弾性的に締め付けるように構成される。
【００２５】
本発明において、前記押さえ部の係止孔は、前記屈曲部を通じて前記プレートの係止突起にスナップ締結するか、又は、前記係止突起からスナップ分離することができる。
【００２６】
望ましくは、前記係止突起は、前記プレートで相互の反対方向に向かってそれぞれ突出することができる。
【００２７】
本発明において、前記電池積層体は、前記係止突起と重畳する電池カートリッジ、及び前記電池カートリッジの間に電池セルを含むことができる。
【００２８】
一態様において、前記電池積層体と前記プレートとは、前記クランプ装置の反対側で長ボルトで結束することができる。
【００２９】
他の態様において、前記クランプ装置及び前記プレートは金属からなり得る。
【発明の効果】
【００３０】
本発明よるクランプ装置は、電池カートリッジ及び電池カートリッジを挟持構造で覆うプレートの一側方に位置して、対向側方で電池カートリッジとプレートとを結束させる長ボルトとともに、電池カートリッジとプレートとを均衡的に且つ適切に締め付けることができる。
【００３１】
本発明よるクランプ装置は、電池カートリッジとプレートの角でねじ締結部位の個数を最小化して、電池カートリッジとプレートの全体体積を減らすことができる。
【００３２】
本発明よるクランプ装置は、電池カートリッジとプレートの一側方に位置して、対向側方の長ボルトとともに電池カートリッジとプレートとを均衡的に締め付けるため、電池カートリッジとプレートとを良好に整列させることができる。
【００３３】
本発明よるクランプ装置は、電池カートリッジとプレートの角における長ボルトの反復的な組立段階を減らすため、組立工程を単純化させることができる。
【００３４】
本発明よる電池モジュールは、電池カートリッジとプレートの全体体積を減らすため、バッテリー内の設置空間に対する配置自由度を増加させることができる。
【００３５】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図面の簡単な説明】
【００３６】
【図１】本発明の実施例による電池モジュールを示した斜視図である。
【図２ａ】図１のクランプ装置を示した斜視図である。
【図２ｂ】図２ａのクランプ装置の変形例を示した斜視図である。
【図２ｃ】図２ａのクランプ装置の他の変形例を示した斜視図である。
【図２ｄ】図２ａのクランプ装置のさらに他の変形例を示した斜視図である。
【図３】図１の下部プレートを示した平面図である。
【図４】図１の電池積層体を示した斜視図である。
【図５】図１の上部プレートを示した平面図である。
【図６】図１の電池モジュールの組立工程を示した分解斜視図である。
【発明を実施するための形態】
【００３７】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００３８】
後述する実施例において、電池セルとはリチウム二次電池を称する。ここで、リチウム二次電池とは、充電及び放電中に、リチウムイオンが作動イオンとして働き、正極と負極とで電気化学的反応を引き起こす二次電池を総称する。しかし、本発明が電池の種類によって限定されることはない。
【００３９】
図１は、本発明の実施例による電池モジュールを示した斜視図である。
【００４０】
図１を参照すれば、本発明による電池モジュール９０は、クランプ装置１０、下部プレート３０、電池積層体５０、上部プレート７０及び長ボルト８０を含む。前記クランプ装置１０は一辺が切り抜かれた方形の帯状を有する。前記下部プレート３０、電池積層体５０及び上部プレート７０はクランプ装置１０の内部に順に積層される。
【００４１】
一態様において、前記下部プレート３０及び上部プレート７０は板状からなる。他の態様において、前記電池積層体５０は電池セル４２を収容する電池カートリッジ４１を含む。ここで、前記クランプ装置１０は、下部プレート３０、電池積層体５０及び上部プレート７０の一側方で下部プレート３０、電池積層体５０及び上部プレート７０と接触する。
【００４２】
望ましくは、前記クランプ装置１０は、下部プレート３０、電池積層体５０及び上部プレート７０の一側方で下部プレート３０、電池積層体５０及び上部プレート７０の側面の中央領域と接触する。より望ましくは、前記クランプ装置１０は、下部プレート３０、電池積層体５０及び上部プレート７０の側面の中央領域を通って、下部プレート３０及び上部プレート７０の中心に向かって所定の長さで延びる。
【００４３】
前記長ボルト８０はクランプ装置１０の反対側で下部プレート３０、電池積層体５０と上部プレート７０を結束させる。望ましくは、前記クランプ装置１０、下部プレート３０と上部プレート７０は、耐久性と熱伝導性の良い金属材質からなる。
【００４４】
図２ａは、図１のクランプ装置を示した斜視図である。
【００４５】
図２ａを参照すれば、本発明によるクランプ装置１０ａは支持部２ａと押さえ部４ａを含む。前記支持部２ａは一方向に沿って所定長さを有する。前記押さえ部４ａは支持部２ａの両端からそれぞれ突出する。望ましくは、前記支持部２ａと押さえ部４ａとは一体的に構成され、支持部２ａの両端からそれぞれ互いに向かって折り曲げられる。
【００４６】
より望ましくは、一態様において、前記支持部２ａと押さえ部４ａは金属からなる。前記支持部２ａと押さえ部４ａは帯状からなって、外周面の中央領域に沿って屈曲部６ａを定義する。望ましくは、前記屈曲部６ａは支持部２ａと押さえ部４ａの外周面で膨らみ、外周面に対向する内周面で凹んでいる。
【００４７】
一方、前記押さえ部４ａは、支持部２ａから一方向に向かって延びる。前記押さえ部４ａは屈曲部６ａと交差する係止孔８ａを含む。望ましくは、前記係止孔８ａは押さえ部４ａを貫通する。前記押さえ部４ａは支持部２ａから係止孔８ａに向かって傾斜する。望ましくは、前記押さえ部４ａは支持部２ａと係止孔８ａとの間で屈曲部６ａと交差する折曲部ＣＳ１、ＣＳ２を有する。
【００４８】
ここで、前記押さえ部４ａは、支持部２ａと折曲部ＣＳ１との間に第１面Ｓ１、折曲部ＣＳ１と折曲部ＣＳ２との間に第２面Ｓ２、及び折曲部ＣＳ２と係止孔８ａとの間に第３面Ｓ３を有する。望ましくは、前記第１面Ｓ１は第３面Ｓ３より高いレベルに位置し、第３面Ｓ３に対して実質的に平行である。前記第２面Ｓ２は第１面Ｓ１と第３面Ｓ３とを連結し、第１面Ｓ１と第３面Ｓ３に対して傾斜している。
【００４９】
前記屈曲部６ａと折曲部ＣＳ１、ＣＳ２は、押さえ部４ａに弾性を与える。一方、前記押さえ部４ａは、支持部２ａと係止孔８ａとの間で屈曲部６ａと交差する１つの折曲部（ＣＳ１またはＣＳ２）を有し得る。前記係止孔８ａは互いに対向する。前記係止孔８ａは同じ中心点を有するか又は異なる中心点を有し得る。前記係止孔８ａは同じ形状であっても良く、異なる形状であっても良い。
【００５０】
図２ｂは、図２ａのクランプ装置の変形例を示した斜視図である。
【００５１】
図２ｂを参照すれば、本発明の変形例によるクランプ装置１０ｂは、図２ａのクランプ装置１０ａと類似する構造を有する。しかし、前記クランプ装置１０ｂは、図２ａのクランプ装置１０ａと比べて、屈曲部６ｂと係止孔８ｂの形状が異なる。より詳しくは、前記屈曲部６ｂは支持部２ｂと押さえ部４ｂの外周面で膨らみ、支持部２ｂと押さえ部４ｂに沿って係止孔８ｂ同士間の内周面で扁平であり、係止孔８ｂから押さえ部４ｂの端部に向かって押さえ部４ｂの内周面で凹んでいる。
【００５２】
一方、前記係止孔８ｂは、支持部２ｂと押さえ部４ｂの外周面と内周面で屈曲部６ｂの形状により、図２ａの係止孔８ａと異なる形状を有する。ここで、前記クランプ装置１０ｂはクランプ装置１０ａに代替することができる。
【００５３】
図２ｃは、図２ａのクランプ装置の他の変形例を示した斜視図である。
【００５４】
図２ｃを参照すれば、本発明の他の変形例によるクランプ装置１０ｃは、図２ａのクランプ装置１０ａと類似する構造を有する。しかし、前記クランプ装置１０ｃは、図２ａのクランプ装置１０ａと比べて、屈曲部６ｃと係止孔８ｃの形状が異なる。より詳しくは、前記屈曲部６ｃは支持部２ｃと押さえ部４ｃの外周面で膨らみ、支持部２ｃと押さえ部４ｃに沿って係止孔８ｃ同士間の内周面で凹み、係止孔８ｃから押さえ部４ｃの端部に向かって押さえ部４ｃの内周面で扁平である。
【００５５】
一方、前記係止孔８ｃは、支持部２ｃと押さえ部４ｃの外周面と内周面で屈曲部６ｃの形状により、図２ａの係止孔８ａと異なる形状を有する。ここで、前記クランプ装置１０ｃはクランプ装置１０ａに代替することができる。
【００５６】
図２ｄは、図２ａのクランプ装置のさらに他の変形例を示した斜視図である。
【００５７】
図２ｄを参照すれば、本発明のさらに他の変形例によるクランプ装置１０ｄは、図２ａのクランプ装置１０ａと類似する構造を有する。しかし、前記クランプ装置１０ｄは、図２ａのクランプ装置１０ａと比べて、屈曲部６ｄと係止孔８ｄの形状が異なる。より詳しくは、前記屈曲部６ｄは支持部２ｃと押さえ部４ｃの外周面で膨らみ、内周面で扁平である。
【００５８】
一方、前記係止孔８ｄは、支持部２ｄと押さえ部４ｄの外周面と内周面で屈曲部６ｄの形状により、図２ａの係止孔８ａと異なる形状を有する。ここで、前記クランプ装置１０ｄはクランプ装置１０ａに代替することができる。
【００５９】
図３は、図１の下部プレートを示した平面図である。
【００６０】
図３を参照すれば、本発明による下部プレート３０は、下部カバー部２６と下部締結部２９を有する。前記下部カバー部２６は、一面で突出して、図６に示されたように、他の面で凹状の下部係止突起２１、下部ビード２３及び下部ダム２５を有する。前記下部係止突起２１は、下部カバー部２６で下部ダム２５の外部に位置する。
【００６１】
望ましくは、前記下部係止突起２１は、下部カバー部２６の縁部で下部ダム２５の湾曲部２１ａ内に位置する。一態様において、前記下部係止突起２１は、図２のクランプ装置１０の係止孔８ａの１つに挿し込まれる。前記下部ビード２３は、下部カバー部２６で下部ダム２５の内部に位置する。望ましくは、前記下部ビード２３は下部カバー部２６の表面積を増加させ、図４の電池４２の反復的な充電及び放電によって発生する熱を外部に速かに放出させる役割を果たす。
【００６２】
一方、前記下部締結部２９のそれぞれは、下部係止突起２１の反対側で下部カバー部２６の角周辺に位置する。望ましくは、前記下部締結部２９は下部カバー部２６の角から突出する。前記下部締結部２９は下部締結孔２８を有する。前記下部締結孔２８は、内部面に位置するねじ線を通じて図１の長ボルト８０とねじ締結することができる。
【００６３】
図４は、図１の電池積層体を示した斜視図である。
【００６４】
図４を参照すれば、本発明による電池積層体５０は、複数の電池カートリッジ４１を含む。前記電池カートリッジ４１は２つを一組４１ａとして順に積層される。望ましくは、前記電池カートリッジ４１のそれぞれは一組４１ａに１つの電池セル４２を有する。前記一組４１ａ内の２つの電池カートリッジ４１は両側部にそれぞれ位置する締結具４３を通じて結束される。
【００６５】
望ましくは、前記一組４１ａの電池カートリッジ４１において、一方の電池カートリッジ４１の締結具４３の構成要素は他方の電池カートリッジ４１の締結具４３の構成要素とフック結合される。一方、前記電池カートリッジ４１は、載置部４７と中部締結部４９を含む。前記載置部４７は、電池カートリッジ４１で電池４２を載置させるか、又は、電池カートリッジ４１の最外郭で図３の下部プレート３０と図５の上部プレート７０を載置させることができる。
【００６６】
前記載置部４７は、縁部に整列具４４を有し、中央領域にスペーサ４６を有する。前記整列具４４は、一組４１ａ内の一方の電池カートリッジ４１で図面のように溝を有するか、または、一組４１ａ内の他方の電池カートリッジ４１で突起（図示せず）を有し得る。望ましくは、前記電池カートリッジ４１は、一組４１ａ内で整列具４４を通じて溝と突起との結合によって整列され得る。
【００６７】
前記スペーサ４６は、一組４１ａ単位で電池カートリッジ４１を分離するように一組４１ａ同士間に位置する。望ましくは、前記スペーサ４６は電池カートリッジ４１に剛性を与えるためにビード４６ａを有する。一方、前記中部締結部４９は整列具４４の反対側で載置部４７の角周辺に位置する。前記中部締結部４９のそれぞれは中部締結孔４８を有する。前記中部締結孔４８は、図１の長ボルト８０を収容することができる。
【００６８】
図５は、図１の上部プレートを示した平面図である。
【００６９】
図５を参照すれば、本発明による上部プレート７０は、図３の下部プレート３０と類似する形状を有する。すなわち、前記上部プレート７０は上部カバー部６６を有するが、前記上部カバー部６６の上部係止突起６１、上部ビード６３と上部ダム６５は下部カバー部２６の下部係止突起２１、下部ビード２３と下部ダム２５と同じ形状及び同じ機能をする。
【００７０】
ただし、前記上部カバー部６６は、下部カバー部２６と違って、載置突起６４を上部ダム６５に有する。前記載置突起６４の立体的形状は、図６に詳しく図示される。また、前記上部プレート７０は、上部係止突起６１の反対側で上部カバー部６６の角にそれぞれ位置する上部締結部６９を有する。前記上部締結部６９のそれぞれは、図１の長ボルト８０を収容する上部締結孔６８を有する。
【００７１】
図６は、図５の電池モジュールの組立工程を示した分解斜視図である。
【００７２】
図６を参照すれば、クランプ装置１０、下部プレート３０、電池積層体５０、上部プレート７０及び長ボルト８０が用意される。前記クランプ装置１０、下部プレート３０、電池積層体５０、上部プレート７０及び長ボルト８０の詳しくは図１〜図５に示されたようである。しかし、理解の便宜上、前記クランプ装置１０、下部プレート３０、電池積層体５０、上部プレート７０及び長ボルト８０について簡略に説明する。
【００７３】
望ましくは、前記クランプ装置１０ａは、支持部２ａ、及び支持部２ａの両端からそれぞれ突出する押さえ部４ａを含む。前記支持部２ａと押さえ部４ａは屈曲部６ａを定義し、前記押さえ部４ａのそれぞれは屈曲部６ａと交差する係止孔８ａを有する。さらに、前記クランプ装置１０ａは、押さえ部４ａに支持部２ａと係止孔８ａとの間で屈曲部６ａと交差する折曲部ＣＳ１、ＣＳ２を有する。
【００７４】
前記下部プレート３０と上部プレート７０は、下部係止突起２１と上部係止突起６１を有し得る。望ましくは、前記下部及び上部係止突起２１、６１は、下部及び上部プレート３０、７０で相互の反対方向に向かってそれぞれ突出することができる。前記電池積層体５０は、図１に示されたように、下部及び上部係止突起２１、６１に重畳するように、電池カートリッジ４１の間に電池セル４２を有する。前記長ボルト８０は下部のみにねじ線を有し得る。
【００７５】
次に、前記下部プレート３０、電池積層体５０と上部プレート７０が順に積層される。この場合、前記下部プレート３０の下部カバー部２６と上部プレート７０の上部カバー部６６との間に電池積層体５０の電池カートリッジ４１の載置部４７が位置することができる。ここで、前記上部プレート７０の載置突起６４は、図示されていないが、続いて備えられる構造物（例えば、電装部品または電池モジュール）との結合時に、接続プラグとして用られ得る。
【００７６】
また、前記下部プレート３０の下部締結部２９と上部プレート７０の上部締結部６９との間に電池カートリッジ４１の中部締結部４９が位置することができる。その後、前記クランプ装置１０が下部プレート３０、電池積層体５０及び上部プレート７０を挟んで取り付けられる。望ましくは、前記クランプ装置１０において、前記支持部２ａと押さえ部４ａは下部プレート３０、電池積層体５０及び上部プレート７０と接触する。
【００７７】
より望ましくは、前記押さえ部４ａの係止孔８ａには下部プレート３０の下部係止突起２１と上部プレート７０の上部係止突起６１とがそれぞれ挿入される。ここで、前記支持部２ａと押さえ部４ａは、屈曲部６ａと折曲部ＣＳ１、ＣＳ２を用いて下部プレート３０、電池積層体５０と上部プレート７０を弾性的に締め付けることができる。
【００７８】
一態様において、前記支持部２ａと押さえ部４ａが弾性を有するため、前記押さえ部４ａの係止孔８ａは屈曲部６ａを通じて下部及び上部プレート３０、７０の下部及び上部係止突起２１、６１にスナップ締結するか、又は、係止突起２１、６１からスナップ分離することができる。その後、前記クランプ装置１０ａの反対側で下部プレート３０、電池積層体５０及び上部プレート７０に長ボルト８０が挿入される。
【００７９】
詳しくは、前記長ボルト８０は、上部締結部６９の上部締結孔６８と中部締結部４９の中部締結孔４８に収容され、下部締結部２９の下部締結孔２８にねじ締結することができる。それにより、前記長ボルト８０はクランプ装置１０とともに、下部プレート３０、電池積層体５０及び上部プレート７０を結束させて、図１の電池モジュール９０を構成することができる。
【００８０】
以上のように、本発明を限定された実施例と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【符号の説明】
【００８１】
ＣＳ１  折曲部
ＣＳ２  折曲部
Ｓ１  第１面
Ｓ２  第２面
Ｓ３  第３面
２a  支持部
４a  押さえ部
６  屈曲部
８  係止孔
１０  クランプ装置
２１a  湾曲部
２１  係止突起、下部係止突起、上部係止突起
２３  下部ビード
２５  下部ダム
２６  下部カバー部
２８  下部締結孔
２９  下部締結部
３０  下部プレート
４１  電池カートリッジ
４１a  一組
４２  電池セル、電池
４３  締結具
４４  整列具
４６a  ビード
４６  スペーサ
４７  載置部
４８  中部締結孔
４９  中部締結部
５０  電池積層体
６１  上部係止突起
６３  上部ビード
６４  載置突起
６５  上部ダム
６６  上部カバー部
６８  上部締結孔
６９  上部締結部
７０  上部プレート
８０  長ボルト
９０  電池モジュール
【図１】
0006476310.tif 000002
【図２ａ】
0006476310.tif 000003
【図２ｂ】
0006476310.tif 000004
【図２ｃ】
0006476310.tif 000005
【図２ｄ】
0006476310.tif 000006
【図３】
0006476310.tif 000007
【図４】
0006476310.tif 000008
【図５】
0006476310.tif 000009
【図６】
0006476310.tif 000010